(57)【要約】【課題】携帯と収納に便利的であると共に、それぞれ異なる仕様の赤外線接続ポートを有するそれぞれの情報ホスト・デバイスの利用にすべて対応できるようにする。【解決手段】両部分に分けられて内方へ折り畳まれるような形式の折畳み収納式のキーボード・ベース１を有し、それらのキーボード・ベース１の底部には赤外線発信器２，３が配置され、その上には、携帯式情報ホスト・デバイスを配置する際に滑り止め用の滑り止めパッド９が配置され、また、前記携帯式情報ホスト・デバイスを安定に保持するためのサポート・フレーム６とリンク・ロッドとバック・フレーム８とが結合してなるＡ字形保持フレーム７を有し、前記サポート・フレーム６における旋回ベース５には、延伸フレーム４が連結され、その延伸フレーム４には赤外線発信器が取り付けられ、且つ内部の電気回路に電気エネルギーを提供するバッテリ・ベース１１を有し、且つ磁力によってそれぞれの部材同士を相互に緊密的に寄せ付けさせるように作用する磁石セット１３を備えている。【選択図】図２。
0003103226.tif 000002
【実用新案登録請求の範囲】
【請求項１】
複数個の赤外線発信器同士を有し、赤外線送受信インターフェースを介して、入力される情報を少なくとも一セットの携帯式情報ホスト・デバイスに送信することを特徴とする、
赤外線送受信機能付き折畳み収納式キーボード。
【請求項２】
前記携帯式情報ホスト・デバイスのことは、携帯電話のことを指すことを特徴とする、
請求項１に記載の赤外線送受信機能付き折畳み収納式キーボード。
【請求項３】
前記携帯式情報ホスト・デバイスのことは、パーソナル・デジタル・アシスタントのことを指すことを特徴とする、
請求項１に記載の赤外線送受信機能付き折畳み収納式キーボード。
【請求項４】
前記折畳み収納式キーボードには、両部分に分けられて内方へ折り畳まれるような形式の折畳み収納式のキーボード・ベースを有し、それらのキーボード・ベースの底部には赤外線発信器が配置され、その上には、携帯式情報ホスト・デバイスを配置する際に滑り止め用の滑り止めパッドが配置され、また、前記携帯式情報ホスト・デバイスを安定に保持するためのサポート・フレームとリンク・ロッドとバック・フレームとが結合してなるＡ字形保持フレームを有し、前記サポート・フレームにおける旋回ベースには、延伸フレームが連結され、その延伸フレームには赤外線発信器が取り付けられ、且つ内部の電気回路に電気エネルギーを提供するバッテリ・ベースを有し、且つ磁力によってそれぞれの部材同士を相互に緊密的に寄せ付けさせるように作用する磁石セットを備えていることを特徴とする、
請求項１に記載の赤外線送受信機能付き折畳み収納式キーボード。
【考案の詳細な説明】
【技術分野】
【０００１】
本考案は、赤外線送受信機能付き折畳み収納式キーボードに係わり、特に複数個の赤外線発信器を有し、且つ赤外線送受信インターフェースを介して同期にキーボードより入力される情報をそれぞれ異なる携帯式ホスト情報装置に送信し、且つ自身にはパワー・ソースを有し、それぞれ異なる形式の環境下で操作できる折畳み収納式キーボードに関するものである。
【背景技術】
【０００２】
世界中に、携帯情報を使用する人口が大幅に向上されることにしたがって、携帯情報手段、例えば、携帯電話やパーソナル・デジタル・アシスタントやポータブル・タイプ・コンピュータなどが、最も好ましい携帯式情報手段の選択となっている。移動式情報手段を使用するユーザーに対しては、長時間に重さが２キロ以上にも及ぶポータブル・タイプ・コンピュータを携帯することが、大した負担になることがあり、しかしながら、入力方式の面を論ずると、ユーザーが最も順調に操縦できる方式としてやはりキーボードを使用して情報を入力する方式が一番好適である。
【０００３】
従来のＰＤＡ形態の入力方式は、書物と書写道具などの書写作業模式を模擬するものであり、書写式入力法は、システムによって手で書く文字を識別し、または、簡単な上下左右などのボタン同士やパネルをタッチする方式などによってユーザーの要求を達成するものである。従来の携帯電話形態の入力方式は、多くは、指でそれぞれのボタン同士を押すことによってコマンドを入力するものであり、それらの方法は、効率が劣るばかりではなく、初心者に対しては長い時間をかかって適応する必要があるので、好ましくない。
【０００４】
それにしても、科学技術の発展は、ＰＤＡと携帯電話との境界をぼんやりになりつつあり、近年では、専らＰＤＡに対応するために開発される携帯式キーボードが提案されてきた。しかしながら、今までの製品は、広範的に使用されている携帯電話に導入されておらず、最も広範的に使用され、且つ最も多くのユーザーの詳しいデスクトップ・タイプ・コンピュータ用のキーボード装置が明らかに携帯式情報装置の“軽薄短小”のニーズに対応できない。
【０００５】
本考案の考案者は、前記の従来の入力方式が実際に使用される際に生じられたそれぞれの課題に鑑みて、その個人の当該事業に多年間に亘って従事してきた経験に基づいて、研究開発を進め、現代の移動式情報手段のニーズに応じるように、努力してきた結果、とうとう、本考案の“赤外線送受信機能付き折畳み収納式キーボード”を提出するに至った。
【考案の開示】
【考案が解決しようとする課題】
【０００６】
本考案は、それぞれ異なる環境の状況に対応して、同時に一個以上の移動式情報製品に対し無線情報送受信を実行可能にすることによって、使用効果性を向上できる、赤外線送受信機能付き折畳み収納式キーボードを提供することをその主要な解決しようとする課題とする。
【０００７】
また、本考案は、折畳みやすく、携帯に便利であり、大したスペースを占用することなく、且つ一般的な衝撃を堪忍可能な携帯式赤外線送受信機能付き折畳み収納式キーボードを提供することをその第二の解決しようとする課題とする。
【課題を解決するための手段】
【０００８】
前記の課題の解決を図るために、本考案による赤外線送受信機能付き折畳み収納式キーボードは、複数個の赤外線発信器同士を有し、赤外線送受信インターフェースを介して、入力される情報を少なくとも一セットの携帯式情報ホスト・デバイスに送信することを特徴とする、赤外線送受信機能付き折畳み収納式キーボードである。
【考案の効果】
【０００９】
本考案による赤外線送受信機能付き折畳み収納式キーボードは、従来のデスクトップ・タイプ・コンピュータのキーボードのコード付き構造を改良し、大部分のＰＤＡ（パーソナル・デジタル・アシスタント）と携帯電話とノートブック・タイプ・コンピュータなどの備えるビルド・インの赤外線送受信インターフェースを結合すると共に、赤外線送受信プロトコルに該当するように考案し、移動式情報ホスト・デバイスの赤外線送受信ポートを利用して、赤外線送受信機能を有する折畳み収納式キーボードと移動式（携帯式）情報ホスト・デバイスとの間で赤外線送受信機能によって情報を送受信し、且つ赤外線接続ポートの方向性の局限のことを打破し、赤外線送受信機能付き折畳み収納式キーボードのボトム・ベースとその延伸フレームに、それぞれ赤外線発信器を取り付け、そのことによって、移動式情報ホスト・デバイスのそれぞれ異なる配置姿勢に対応できるようにし、且つその延伸フレームを旋回ベースに連結することによって、移動式情報ホスト・デバイスの赤外線接続ポートのそれぞれ異なる設計に対応して赤外線発信器の位置を調整可能にする効果がある。
【００１０】
また、本考案による“赤外線送受信機能付き折畳み収納式キーボード”は、キーボードを二部分に分けて、且つ内方へ折り畳むことによってその全体の長さを短縮し、携帯に便利になるように考案し、そのサポート・フレームと他の関連のある部材も複数回折り畳まれる後に装置全体のための係止部材となることができ、且つそれらについた磁石の磁力によって折り畳み式キーボードのベースの外表面に緊密的に係合でき、その赤外線送受信機能を有する折畳み収納式のキーボードを携帯と収納に便利にならせるようにすることができ、その赤外線送受信機能有折りたたみ収納式キーボードが磁石セットの吸着のことと部材の折畳みのことによってその全体の占用するスペース縮小し、且つ一般的な衝撃を受ける場合に、例えば、デスク上から落下する場合に、その吸着する磁石セットが即時に対応展開でき、部材のストレスを分散でき、且つその赤外線送受信機能付き折畳み収納式キーボードは、その内部の送受信電気回路にはパワー・ベースが取り付けられるので、バッテリを取り付けてパワーを供給でき、他の移動式情報ホスト・デバイスよりパワーを取得する必要はないので、ホスト・デバイスの待機能力を消耗する状況などは一切ないので、かなり優れている。
【考案を実施するための最良の形態】
【００１１】
本考案の構造とその特徴とその効果をさらに詳しく説明するために、以下に添付図面を参照しながら、本考案の優れる実施の形態を詳細的で具体的に説明する。
【実施例】
【００１２】
まず、図１に示すのは、本考案の信号のフロー経路を示すフローチャートであり、ユーザーが本考案による赤外線送受信機能付き折畳み収納式キーボード１００におけるボタンをクリックする場合に、その機械式のボタンが押されることによって入力信号１１０を生成し、その下方の位置に検出信号が生成され、それが内部回路を介してマイクロプロセッサー１２０に送信される。そのマイクロプロセッサー１２０がその受信した信号を処理を行ってから、デジタル信号に転換し、且つそれを赤外線送受信インターフェース１３０に送信し、且つ赤外線送受信機能を有する折畳み収納式キーボード１００における上位の赤外線発信器２００と、下位の赤外線発信器３００より、その信号を発信する。また、それぞれ異なる移動式情報ホスト・デバイスａとｂが同時に赤外線送受信インターフェースａ０１，ｂ０１より信号を受信し、また、移動式情報ホスト・デバイス（ａ，ｂ）には、少なくとも一つの赤外線送受信インターフェース（ａ０１，ｂ０１）と、ドライバー（ａ０２，ｂ０２）と、アプリケーション・プログラム・モジュール（ａ０３，ｂ０３）と、送受信及び記憶モジュール（ａ０３，ｂ０３）を備えている。そのため、移動式情報ホスト・デバイス（ａ，ｂ）に送信される信号による情報は前記のドライバー（ａ０２，ｂ０２）またはアプリケーション・プログラム・モジュール（ａ０３，ｂ０３）に受信されると共に、処理される。ユーザーもその実際のニーズに応じて、送受信及び記憶モジュール（ａ０４，ｂ０４）を介して情報を他の箇所に送信し、または移動式情報ホスト・デバイス（ａ，ｂ）内に記憶する。
【００１３】
図２に示すのは、本考案のキーボードの展開後の様子を示す説明図であり、符号１は、折畳み収納式キーボードのベースであり、二部分に分けられ、真ん中へ折り畳まれることができ、図２に示すように、その折たたみ収納式キーボードのベース１の右側のキーボードの上方には、ペン・インサート・ホール１０が形成され、ＰＤＡなどの手書き用の書写道具などを挿入でき、使用時にそれを取り出す。また、その左側のキーボードの上方には、Ａ４仕様のバッテリを収納可能なバッテリ・ベース１１が形成され、内部の電気回路にパワーを供給でき、また、折畳み収納式キーボードのベース１の左側の底部には、赤外線発信器３が取り付けられており、その外形はＬＥＤに類似しており、それがノーマルに作動する場合に、点灯による表示をし、本実施の形態において、全部で、二つの赤外線発信器同士を有し、他の一つの赤外線発信器２が旋回ベース５の延伸フレーム４に配置される。その延伸フレーム４が前記旋回ベース５に対し全方位へ角度を調整可能になるように考案され、また、バッテリ・ベース１１には、Ａ４仕様のバッテリを収納でき、赤外線送受信機能付き折畳み収納式キーボードの内部電気回路に給電できる。また、図面に示す滑り止めパッド９には物品を配置でき、当該パッドの表面には顆粒物を有するので、その上に置かれる物品の滑り倒れることを防止できる。また、その滑り止めパッド９に置かれる物品をサポート・フレーム６に倒させて保持することができ、そのサポート・フレーム６にはＡ字形保持フレーム７が連結されて、バック・フレーム８などの関連部材を安定に保持でき、また、折畳み収納式キーボードのベース１が真ん中へ折り畳まれる場合、図面の右半部のキーボードにおける凸部１４がその右半部のキーボードの対応位置におけるスイッチ１２中に挿入でき、その場合、スイッチ１２が起動されて、赤外線送受信機能付き折畳み収納式キーボードを断路し、節電の目的を図る。
【００１４】
その赤外線送受信機能付き折畳み収納式キーボードが移動式情報ホスト・デバイスのそれぞれ異なる配置姿勢に応じて適当に情報を送受信できるように対応するため、二つの赤外線発信器同士が配置されており、また、移動式情報ホスト・デバイスが前記の滑り止めパッド９に配置でき、その赤外線接続ポートを介して、前記赤外線送受信機能有折りたたみ収納式キーボードの延伸フレーム４における赤外線発信器２の発信した無線情報を受信できる。赤外線接続ポートは方向性の局限があるので、相互にマッチングしないと、情報を送達できないため、且つそれぞれのブランドの移動式情報ホスト・デバイスの赤外線接続ポートも多少差が存在しているため、ある場合はその真上に取り付けられ、ある場合はその右側に取り付けられ、また、左側に取り付けられる接続ポートも存在するので、それらのそれぞれ異なる状況を対応するために、本考案による赤外線送受信機能付き折畳み収納式キーボードの延伸フレーム４が旋回ベース５に連結されるので、３６０度調整可能に考案されている。即ち、その延伸フレーム４に取り付けられる赤外線送受信機能付き折畳み収納式キーボードの赤外線発信器２がその滑り止めパッド９における移動式情報ホスト・デバイスの赤外線接続ポートの方向に対応して３６０度の余裕の調整角度を提供している。同じように、他の状況を応じるために、その赤外線送受信機能付き折畳み収納式キーボードの底部の赤外線発信器３より情報を送信してもよい。こうする場合では、いずれの形式の接続ポートの設計を有する移動式情報ホスト・デバイスに対してはすべて対応できるようになっている。図３に示すように、本考案のキーボードを介して情報を入力すると、前記赤外線発信器２を介して情報をＰＤＡａに送信できると共に、赤外線発信器３を介して情報を携帯電話ｂに送信することもできる。
【００１５】
また、赤外線送受信機能付き折畳み収納式キーボードは、その旋回ベース５とその延伸フレーム４とを旋回してからサポート・フレーム６に嵌め込ませるようにしてもよい。また、バック・フレーム８をその上に覆うようにしてもよい。こうする場合では、そのサポート・フレーム全体と他の関連部材とが書物保持用フレームとして使用できる。図４に示すのは、本考案の他の実施の形態であり、その滑り止めパッド９にノートブックｃを置きながら、情報を入力し、入力される情報が赤外線発信器３を介してＰＤＡａに送信される。
【００１６】
また、本考案による赤外線送受信機能付き折畳み収納式キーボードのベース１は、そのキーボードの部分を二部分に分けて内方へ折畳み収納でき、その上に配置される磁石セット１３によって相互に吸着して緊密的に結合させることができる。また、Ａ字形保持フレーム７が折畳まれてサポート・フレーム６の背面部に収納することができ、その延伸フレーム４を旋回して前記サポート・フレーム６と嵌め合わせることができ、また、前記のバック・フレーム８も回動して前記サポート・フレーム６へ寄せ付けられる。このように操作すると、全体装置の係合部材となり、その上における磁石を利用して折畳み収納式キーボードのベース１の外表面部に緊密的に係合でき、その方式は、赤外線送受信機能付き折畳み収納式キーボードを携帯と収納することに便利にならせることができる。図５に示すのは本考案の折畳み収納後の様子を示す説明図である。
【産業上の利用可能性】
【００１７】
本考案による場合、携帯と収納に便利的であると共に、それぞれ異なる仕様の赤外線接続ポートを有するそれぞれの情報ホスト・デバイスの利用にすべて対応できるようになっている。
【００１８】
また、前記に詳細に説明したのは、単に本考案の実施可能な具体的な実施の形態に過ぎず、その実施の形態は本考案の主張範囲を狭義的に定義するものではなく、本考案の技術の要旨に基づいて実施される相同の効果を有する変更や改造などがすべて本考案の主張範囲内に納入されるべきことが言うまでもないことである。
【００１９】
前記に説明したように、本考案は、空間的形態が新たな創作する箇所を有すると共に、従来物より前記に説明した多くの効果性を増進でき、既に実用新案の要件の新規性と進歩性の法定の要件を満足するものである。
【図面の簡単な説明】
【００２０】
【図１】本考案の展開後の様子を示す斜視図である。
【図２】本考案の構成を示す説明図である。
【図３】本考案の実施の形態を示す説明図である。
【図４】本考案の他の実施の形態を示す説明図である。
【図５】本考案の折畳まれる形態の様子を示す説明図である。
【符号の説明】
【００２１】
１          折畳み収納式キーボードのベース
２          上位にある赤外線発信器
３          下位にある赤外線発信器
４          延伸フレーム
５          旋回ベース
６          サポート・フレーム
７          Ａ字形保持フレーム
８          バック・フレーム
９          滑り止めパッド
１０        ペン・インサート・ホール
１１        バッテリ・ベース
１２        スイッチ
１３        磁石
１４        凸部
１００      赤外線送受信機能付き折畳み収納式キーボード
１１０      機械式ボタンによる入力信号
１２０      マイクロプロセッサー
１３０      赤外線送受信インターフェース
２００      上位にある赤外線発信器
３００      下位にある赤外線発信器
ａ          パーソナル・デジタル・アシスタント（ＰＤＡ）
ｂ          携帯電話
ｃ          ノートブック
ａ０１      赤外線送受信インターフェース
ａ０２      ドライバー
ａ０３      アプリケーション・プログラム・モジュール
ａ０４      送受信及び記憶モジュール
ｂ０１      赤外線送受信インターフェース
ｂ０２      ドライバー
ｂ０３      アプリケーション・プログラム・モジュール
ｂ０４      送受信及び記憶モジュール
【図１】
0003103226.tif 000003
【図２】
0003103226.tif 000004
【図３】
0003103226.tif 000005
【図４】
0003103226.tif 000006
【図５】
0003103226.tif 000007